(57)【要約】【課題】小型化が可能で、かつ読取取り処理ができるシート枚数を増やすことのできる画像読取装置を提供する。【解決手段】画像が形成されたシートを載置する積載部１０２と、画像読取部に搬送され、画像が読み取られたシートを収納する収納部１０３とを並設し、かつ積載部１０２と収納部１０３とを移動可能な仕切り壁１０４により仕切るようにする。そして、仕切り壁１０４を、シートを載置部１０２に載置する際には載置部１０２のシート載置量が増える方向に移動させ、画像が読み取られたシートの枚数が増えるに連れて収納部１０３のシート収納量が増える方向に移動させるようにする。【選択図】      図１
2004214775.tif 000002
【特許請求の範囲】
【請求項１】
載置部に載置されたシートを画像読取部に搬送し、前記シートに形成された画像を読み取るようにした画像読取装置において、
前記載置部に並設され、前記画像が読み取られたシートを収納する収納部と、
前記積載部と前記収納部とを仕切る移動可能な仕切り壁と、
前記仕切り壁を、前記シートを前記載置部に載置する際には該載置部のシート載置量が増える方向に移動させ、前記画像が読み取られたシートの枚数が増えるに連れて前記収納部のシート収納量が増える方向に移動させる制御手段と、
を備えたことを特徴とする画像読取装置。
【請求項２】
前記仕切り壁を移動させる移動手段を設け、
前記制御手段は、前記移動手段を介して前記仕切り壁を移動させることを特徴とする請求項１記載の画像読取装置。
【請求項３】
前記積載部と収納部との間に該積載部から搬送された後、並設された前記収納部にシートを搬送する湾曲したシート搬送路が設けられていることを特徴とする請求項１又は２記載の画像読取装置。
【請求項４】
前記積載部と前記収納部を上下方向に並設し、前記仕切り壁を処理前のシート、或は前記処理されたシートを載置する上下方向に移動可能なシート載置台としたことを特徴とする請求項１乃至３の何れか１項に記載の画像読取装置。
【請求項５】
前記収納部は複数のシート収納区画に画成され、かつ前記制御手段は、前記複数のシート収納区画を仕切る仕切り部材を、前記シートを前記載置部に載置する際には前記仕切り壁と共に該載置部のシート載置量が増える方向に移動させ、前記画像が読み取られたシートの枚数が増えるに連れて前記仕切り壁と共に前記収納部のシート収納量が増える方向に移動させるようにしたことを特徴とする請求項１乃至４の何れか１項に記載の画像読取装置。
【請求項６】
前記シートを前記複数のシート収納区画のうちの所定のシート収納区画に分類収納するための分類情報を記憶する記憶部と、前記シートを分類収納するため該シートに形成された分類情報を読み取る読取部と、前記読取部により読み取られた分類情報と前記記憶部により記憶された分類情報とを比較する比較部とを備えていることを特徴とする請求項５記載の画像読取装置。
【請求項７】
前記シート搬送路に設けられ、前記分類情報に応じて前記シートを前記所定のシート収納区画に選択的に案内するための切り換え手段を備え、
前記比較部による比較結果に応じて前記シートを選択的に前記所定の複数のシート収納区画に選択的に案内するよう前記切り換え手段の位置を切り換えることを特徴とする請求項６記載の画像読取装置。
【請求項８】
前記切り換え手段を、前記シートを前記所定の複数のシート収納区画に選択的に案内するよう切り換わる第１切り換え部と、前記第１切り換え部と前記複数のシート収納区画との間にそれぞれ設けられ、かつ前記仕切り部材の移動に伴って移動し、前記第１切り換え部により案内されたシートを前記所定のシート収納区画に案内する前記第２切り換え部とにより構成することを特徴とする請求項７記載の画像読取装置。
【発明の詳細な説明】
【０００１】
【発明の属する技術分野】
本発明は、画像読取装置に関し、特に載置部に載置されたシートを画像読取部に搬送し、画像読取部にて画像が読み取られたシートを載置部に並設された収納部に収納するようにしたものに関する。
【０００２】
【従来の技術】
一般に、公共料金の請求書やサービスの申込書等の紙葉類や、手形・小切手等の有価証券等のシートを分類整理する際には、画像読取装置の一例であるスキャナ装置が用いられる。ここで、このようなスキャナ装置では、紙葉類の或る所定領域に表示若しくは印字されている文字・画像・記号・バーコード等や、紙葉類の色・大きさ・形状・厚み等の分類情報を画像読取部にて読み取った後、記憶部に記憶している分類情報と比較し、比較結果に応じてソータ毎に分類するようにしている。
【０００３】
例えば、銀行などの金融機関の場合、手形や小切手等の有価証券を分類整理するため専用のスキャナ装置が設置されている。そして、このスキャナ装置より、有価証券の所定位置に磁気インク文字によって印字されているＭＩＣＲ文字を装置内部に組込まれている磁気ヘッドにより磁気的に、または光学的に読出し、この読み出したＭＩＣＲ文字情報に基づいて手形等を分類し、ソータ毎に収納するようにしている。
【０００４】
なお、分類方法としては、支店別、口座別、金額別、支払日別等の分離方法があり、例えば金額別、支払日別で分類された手形は、まず手形交換所等に運ばれて集積され、この後、支店に設けられたスキャナ装置によって支店別、口座別等の分類が行われ、種別毎に処理される。
【０００５】
ところで、このような手形の一連の処理作業は、利用者から手形を預かってから１日程度で行わなければならず、非常に速い処理速度が求められる作業であることから、多くの銀行では、各支店では手形処理を行わず、手形を専門的に扱う部署として集中センタを設けると共に、この集中センタに比較的大型な専用のスキャナ装置を設置し、このスキャナ装置により大量の手形を一括して高速で処理するようにしている。
【０００６】
さらに、現在では通信技術の発達により、各支店で手形の画像や個別情報を専用のスキャナ等によって読み取った後、電子ファイルとして集中センタに先に伝送し、集中センタでは、この電子ファイルを元に金額の支払い等の処理を先に済ませてしまう、というような業務形態を取ることも行われている。
【０００７】
そして、このように手形を集中センタで処理する際に電子データを用いることによって、その日のうちに集中センタに手形を集める必要が無くなるので、集中センタと各支店とを１日に何度も往復させていた手形の運搬業務を減らすことができ、銀行としてはコストを削減させる事が出来る。また、手形が集中センタに到達する前に処理を行う事が出来るので処理速度が速くなる。
【０００８】
しかし、このような業務形態を実現するためには、各支店において或る程度手形を分類しておく必要があるが、この場合、各支店に集中センタに設置していたような大型のスキャナ装置は必要無く、また設置するスペースも無い。
【０００９】
そこで、従来、各支店に設置される予備処理用のスキャナ装置としては、支店に設置できるように搬送路がＵ字型で、かつ手形を載置する載置部であるホッパー部と、分類された手形等を収納する収納部であるソータ部とが並設された小型のスキャナ装置が普及している。
【００１０】
図１１は、このような従来の小型スキャナ装置の構成を示す斜視図であり、スキャナ装置５０には手形５７を載置するホッパー部５１が設けられている。ここで、このホッパー部５１に載置される手形５７には、例えば図１２のように特定の領域５７ａにＭＩＣＲと呼ばれる特定の文字が磁気インキによって印字されている。なお、このＭＩＣＲ文字で印字されている情報は、金額、銀行、支店、口座番号、発券番号等がある。
【００１１】
ところで、このようなＭＩＣＲ文字が印字されている手形５７を分類する際、ホッパー部５１に載置された手形５７は、不図示の搬送手段によって搬送路５２内に送り出され、この搬送路５２を通過する際、不図示の画像読取部によってＭＩＣＲ文字により記載された分類情報が読取られる。そして、この後、手形５７は、このようにして読取られた分類情報と、予めメモリ等に記憶されている分類情報とに基づいて第１分類搬送路５３ａ、又は第２分類搬送路５３ｂを通って第１ソータ部５４ａ、又は第２ソータ部５４ｂに搬送され、分類収納される。
【００１２】
なお、このように次々と手形５７が分類されていくと、ホッパー部５１の中での手形５７の状態が不安定になり、これに伴い搬送路５２に搬送される際の手形５７の動きが不安定になり、この結果、ＭＩＣＲ文字が適正に読まれなかったり、最悪な場合、ジャムの原因になる。このため、ホッパー部５１の一側面を形成する壁部５９の一側壁面には、搬送路５２の入り口側に付勢され、手形５７の束をホッパー部５１の搬送路側側面を形成する壁部５８に押えつける押さえ部材５５が設けられている。
【００１３】
また、第１ソータ部５４ａの第１分類搬送路５３ａ出口側の側面を形成する、壁部５９の他の側壁面、及び第２ソータ部５４ｂの第２分類搬送路５３ｂ出口側の側面を形成する壁部６０の一側壁面には、既に分類収納された後の手形５７Ａが、後から第１ソータ部５４ａ又は第２ソータ部５４ｂに搬送される手形５７の収納を邪魔することがないように、手形５７Ａを壁部６０及び第２ソータ部５４ｂの他の側面を形成する壁部６１に押えつける押さえ部材５６ａ，５６ｂが設けられている。なお、これら押さえ部材５６ａ，５６ｂは、それぞれ不図示の付勢手段により、壁部６０，６１側に付勢されている。
【００１４】
ところで、スキャナ装置としては、このような手形等の分類を行うものの他、ガスや電気等の公共料金の領収書等の書類の分類を行うものがある。ここで、公共料金の領収書は、大きさが異なっている場合があるため、書類の表面若しくは裏面の情報を読取る際には、まず書類の大きさを認識し、この認識情報を含む分離情報と、予め記憶していた分類情報とに基づいて分類処理を行うようにしたものがある。
【００１５】
【発明が解決しようとする課題】
ところで、このような従来の画像読取装置の一例であるスキャナ装置においては、壁部５９，６０は固定されている。また、一般的にホッパー部５１と第１及び第２ソータ部５３ａ，５３ｂの幅は略同程度である。これは、分類整理の処理を行った結果、１つのソータ部５３（５３ａ，５３ｂ）のみにホッパー部５１に載置した手形等、或は書類等のシートを収納する事を想定しているためである。
【００１６】
このため、ホッパー部５１の載置幅をＷとすると、１つのソータ部５３の載置幅もＷとなり、このため、例えばソータ部をＮ個並設すると、スキャナ装置の幅は少なくとも（Ｎ＋１）Ｗとなり、外形が大きくなってしまい、設置するには不適となるという課題が生じてしまう。
【００１７】
そこで、本発明は、このような現状に鑑みてなされたものであり、小型化が可能で、かつ読取取り処理できるシート枚数を増やすことのできるスキャナ装置（画像読取装置）を提供することを目的とするものである。
【００１８】
【課題を解決するための手段】
本発明は、載置部に載置されたシートを画像読取部に搬送し、前記シートに形成された画像を読み取るようにした画像読取装置において、前記載置部に並設され、前記画像が読み取られたシートを収納する収納部と、前記積載部と前記収納部とを仕切る移動可能な仕切り壁と、前記仕切り壁を、前記シートを前記載置部に載置する際には該載置部のシート載置量が増える方向に移動させ、前記画像が読み取られたシートの枚数が増えるに連れて前記収納部のシート収納量が増える方向に移動させる制御手段と、を備えたことを特徴とするものである。
【００１９】
また本発明は、前記仕切り壁を移動させる移動手段を設け、前記制御手段は、前記移動手段を介して前記仕切り壁を移動させることを特徴とするものである。
【００２０】
また本発明は、前記積載部と収納部との間に該積載部から搬送された後、並設された前記収納部にシートを搬送する湾曲したシート搬送路が設けられていることを特徴とするものである。
【００２１】
また本発明は、前記積載部と前記収納部を上下方向に並設し、前記仕切り壁を処理前のシート、或は前記処理されたシートを載置する上下方向に移動可能なシート載置台としたことを特徴とするものである。
【００２２】
また本発明は、前記収納部は複数のシート収納区画に画成され、かつ前記制御手段は、前記複数のシート収納区画を仕切る仕切り部材を、前記シートを前記載置部に載置する際には前記仕切り壁と共に該載置部のシート載置量が増える方向に移動させ、前記画像が読み取られたシートの枚数が増えるに連れて前記仕切り壁と共に前記収納部のシート収納量が増える方向に移動させるようにしたことを特徴とするものである。
【００２３】
また本発明は、前記シートを前記複数のシート収納区画のうちの所定のシート収納区画に分類収納するための分類情報を記憶する記憶部と、前記シートを分類収納するため該シートに形成された分類情報を読み取る読取部と、前記読取部により読み取られた分類情報と前記記憶部により記憶された分類情報とを比較する比較部とを備えていることを特徴とするものである。
【００２４】
また本発明は、前記シート搬送路に設けられ、前記分類情報に応じて前記シートを前記所定のシート収納区画に選択的に案内するための切り換え手段を備え、前記比較部による比較結果に応じて前記シートを選択的に前記所定の複数のシート収納区画に選択的に案内するよう前記切り換え手段の位置を切り換えることを特徴とするものである。
【００２５】
また本発明は、前記切り換え手段を、前記シートを前記所定の複数のシート収納区画に選択的に案内するよう切り換わる第１切り換え部と、前記第１切り換え部と前記複数のシート収納区画との間にそれぞれ設けられ、かつ前記仕切り部材の移動に伴って移動し、前記第１切り換え部により案内されたシートを前記所定のシート収納区画に案内する前記第２切り換え部とにより構成することを特徴とするものである。
【００２６】
【発明の実施の形態】
以下、本発明の実施の形態を、図面を用いて詳細に説明する。
【００２７】
図１は、本発明の第１の実施の形態に係る画像読取装置の一例であるスキャナ装置の斜視図であり、同図において、１０１はスキャナ装置である。そして、このスキャナ装置１０１にはシートである紙葉類を載置するための載置部であるホッパー部１０２と、ホッパー部１０２から不図示の分離搬送手段により不図示の画像読取部に分離搬送され、この画像読取部にて画像が読み取られた後の紙葉類を載置収納する収納部であるソータ部１０３とが設けられている。
【００２８】
１０４はホッパー部１０２と、このホッパー部１０２の上方に並設されたソータ部１０３とを仕切る仕切り壁を構成すると共にソータ部１０３に搬送された紙葉類を積載するシート積載台を構成する載置板であり、紙葉類は、ホッパー部１０２により搬送分離された後、この載置板１０４上に順次積載されるようになっている。また、この載置板１０４は、不図示の移動手段により上下方向に移動可能となっている。
【００２９】
ここで、スキャナ装置１０１が動作する前の初期状態において、ソータ部１０３は紙葉類を積載するためのスペースを確保する必要が無いため、本実施の形態においては、図２に示すように載置板１０４を、可能な限り上方に移動させるようにしている。そして、このように載置板１０４を、初期状態においては可能な限り上方に移動させることにより、ホッパー部１０２の載置量を最大限に、言い換えれば紙葉類Ｓの載置高さを最大限にする事ができる。
【００３０】
一方、紙葉類Ｓの分類搬送が開始されると、ホッパー部１０２に載置された紙葉類Ｓは不図示の分離搬送手段により一枚ずつ分離された後、図２に示す湾曲した搬送路１０５を通り、ソータ部１０３に排出される。なお、この搬送路１０５には不図示の画像読取部が設けられており、搬送路１０５を通過する際、この画像読取部により、紙葉類Ｓに、例えばＭＩＣＲ文字によって記載された情報（画像）が読取られるようになっている。
【００３１】
ところで、載置板１０４は、このように情報が読み取られた紙葉類Ｓの枚数が増えるに連れて、ソータ部１０３に紙葉類Ｓを載置するためのスペースを確保するため下方に移動するように構成されている。つまり、ホッパー部１０２に載置された紙葉類Ｓが、ソータ部１０３に順次排出されるに従い、載置板１０４が下降し、これによりソータ部１０３の収納量を増やすこと、言い換えれば紙葉類Ｓを載置することのできる高さを高くすることができる。
【００３２】
そして、このようにホッパー部１０２に載置された紙葉類Ｓが処理され、残りの紙葉類が少なくなっていくに連れて載置板１０４を下降（下方移動）させるようにすることにより、ソータ部１０３のスペースを広くすることができる。これにより、従来のように予めソータ部１０３に紙葉類収納用のペースを確保する必要がなくなり、この結果、スキャナ装置１０１の小型化が可能となる。
【００３３】
つまり、本実施の形態のように、仕切り壁である載置板１０４を、紙葉類Ｓをホッパー部１０２に載置する際には、ホッパー部１０２の載置量が増える方向である上方に移動させ、情報（画像）が読み取られた紙葉類Ｓの枚数が増えるに連れてソータ部１０３のシート収納量が増える方向である下方に移動させるようにすることにより、読取取り処理できる紙葉類Ｓの枚数を増やすことができ、かつ小型化が可能となる。
【００３４】
なお、載置板１０４は、ホッパー部１０２に載置されている紙葉類Ｓの量の変化（減少）をフォトインタラプタ等の光学センサによって検出することで紙葉類Ｓの処理枚数を知り、移動させるように構成しても良いし、処理枚数をカウントする事によってそのカウント値に応じて移動させるようにしても良い。
【００３５】
さらに、例えばホッパー部１０２に載置されている紙葉類Ｓを、載置板１０４の下面に設けられたばね等を利用して押さえておく機構や、ホッパー部１０２に載置されている紙葉類Ｓに載置板１０４をただ載せる機構の場合には、画像が読み取られた紙葉類Ｓの枚数が増えるに連れて載置板１０４は自重により移動するので、センサ等を用いなくても載置板１０４を下方に移動させることができる。
【００３６】
なお、本実施の形態においては、ホッパー部１０２の上方にソータ部１０３を設けたが、ソータ部１０３の上方にホッパー部１０２を設けるように構成しても同様の効果を得ることができる。
【００３７】
以下に、本発明の第２の実施の形態について説明する。
【００３８】
図３は、本実施の形態に係る画像読取装置の一例であるスキャナ装置の斜視図であり、同図において、１はスキャナ装置である。ここで、このスキャナ装置１には紙葉類を載置する載置部であるホッパー部２と、分類された紙葉類を収納する収納部であるソータ部３を備えている。なお、このソータ部３には、複数の、本実施の形態においては、２つのソータ収納区画である第１及び第２ソータ収納部３ａ，３ｂが画成されている。
【００３９】
７は、第１ソータ収納部３ａと第２ソータ収納部３ｂとを仕切っている固定壁、６はホッパー部２とソータ部３とを仕切っている移動壁であり、この移動壁６は後述する図７に示す移動手段により移動するようになっている。
【００４０】
５はホッパー部２に積載された紙葉類Ｓをホッパー部２に並設されたソータ部３に搬送するための湾曲した搬送路、８ａ、８ｂは搬送路５から分離した第１及び第２分離搬送路であり、搬送路５を通過した紙葉類Ｓは、選択的に第１又は第２分離搬送路８ａ，８ｂを通過した後、第１又は第２ソータ部３ａ，３ｂに排出されるようになっている。
【００４１】
ここで、スキャナ装置１が動作する前の初期状態においては、ソータ部３（３ａ，３ｂ）は、紙葉類Ｓを収納するためのスペースを確保する必要が無いため、図４に示すように移動壁６を、可能な限り固定壁側に移動させるようにしている。そして、このように初期状態において、移動壁６を可能な限り固定壁側に移動させることにより、ホッパー部２の積載量、言い換えれば載置幅を最大限にする事ができる。
【００４２】
なお、図４において、１０は移動壁６の、第１ソータ収納部３ａ側の側面に設けられた押圧部材、１１は固定壁７の、第２ソータ収納部３ｂ側の側面に設けられた押圧部材である。そして、これら押圧部材１０，１１により、第１又は第２ソータ収納部３ａ，３ｂに先に収納された紙葉類Ｓが後に搬送される紙葉類Ｓの収納を邪魔することがないように、紙葉類Ｓを固定壁７又は第２ソータ収納部３ｂの他の側面を形成する壁部９Ａに押し付けるようにしている。なお、これら手形押さえ部５６ａ，５６ｂは、それぞれ不図示の付勢手段により、固定壁７又は壁部９Ａ側に付勢されている。
【００４３】
一方、紙葉類Ｓの分類搬送が開始され、ホッパー部２に積載された紙葉類Ｓの枚数が減少すると、第１ソータ収納部３ａに紙葉類Ｓを載置するためのスペースを確保するため移動壁６は移動手段により、図５に示すように搬送路５側に移動するように構成されている。
【００４４】
そして、このようにホッパー部２に載置された紙葉類Ｓが、ソータ部３に順次排出されるに従い、移動壁６を移動させることにより、ソータ部３（の第１ソータ収納部３ａ）の載置可能量を増やすことができるようにしている。
【００４５】
ところで、図３において、４は第１及び第２分離搬送路８ａ，８ｂの上流に配置された画像読取部であり、この画像読取部４を通過する際、紙葉類Ｓの表面もしくは裏面に形成されている文字、画像、バーコード等の紙葉類の情報が光学的、或は磁気的に読ら取れるようになっている。
【００４６】
なお、本実施の形態において、このスキャナ装置１は、図６に示すようにパソコン等のホストコンピュータ１５（以下、ＨＣという）に接続されており、ＨＣ１５から出力された予め紙葉類を分類するための分類情報を図７に示すスキャナ装置内のメモリ５０に記憶させておく。
【００４７】
また、このスキャナ装置１は、同図に示すように制御手段であるコントローラ５１を備えており、このコントローラ５１は、比較部５２により、画像読取部４によって読取られた分類情報と予め記憶部であるメモリ５０に記憶されているデータとを比較すると共に、比較した結果に応じて第１及び第２分離搬送路８ａ，８ｂの分岐点に設けられた切り換え手段５３を切り換えるようにしている。
【００４８】
これにより、ホッパー部２に載置された紙葉類Ｓは不図示の分離搬送手段により一枚ずつ分離された後、図３に示す搬送路５を通り、この際、画像読取部４によって情報（画像）が読取られ、さらにこのように情報が読み取られた後、コントローラ５１により比較手段５２の比較結果に応じて切換えられた切り換え手段５３により、選択的に第１又は第２分離搬送路８ａ，８ｂに案内されて第１又は第２ソータ収納部３ａ，３ｂに排出される。
【００４９】
ここで、このように情報（画像）が読み取られた紙葉類Ｓの枚数が増加し、ホッパー部２に載置されている紙葉類Ｓの枚数が減少するに連れ、コントローラ５１は図７に示す移動手段５４を駆動し、移動壁６を既述した図５のようにホッパー部２に載置されている紙葉類Ｓを搬送路５の入り口側に押すように移動する。
【００５０】
これにより、例え情報が読み取られた後の紙葉類Ｓａ，Ｓｂが全て第１ソータ収納部３ａに排出されたとしても、第１ソータ収納部３ａの収納幅は紙葉類Ｓａ，Ｓｂの枚数分だけ広くなっているので紙葉類Ｓを収納する事ができる。
【００５１】
このように、ホッパー部２に載置された紙葉類Ｓの枚数が少なくなっていくに連れて移動壁６を搬送路５の入り口側に移動させることにより、第１ソータ収納部３ａの収納量を増やすことができる。これにより、従来のように予め第１ソータ収納部３ａの紙葉類収納用のスペースを確保する必要がなくなり、この結果、読取取り処理できる紙葉類Ｓの枚数を増やすことができ、かつ小型化が可能となる。
【００５２】
また、移動壁６を移動可能として予めソータ部３（の第１ソータ収納部３ａ）にスペースを確保する必要が無いようにすることにより、ホッパー部２の載置幅をＷとした場合、ソータ部３を設けた場合でも、スキャナ装置１の幅はホッパー部２の載置幅Ｗよりも少しだけ広くすればよくなり、スキャナ装置１の小型化が可能になる。
【００５３】
なお、紙葉類Ｓを分類するための情報を得る方法としては、接続されているＨＣ１５からに限らず、例えばスキャナ装置１に分類情報を入力するための入力部を設けたり、あるいはフロッピー（登録商標）ディスク、ＰＣＭＣＩＡカード、光磁気ディスクなど、持ち運び可能な不揮発性メモリの読取り部をスキャナ装置１に設けておき、この読取り部に不揮発性メモリをセットすることで紙葉類の分類情報を獲得する等の方法がある。
【００５４】
さらに、紙葉類Ｓの分類情報を取得する手段としては、画像読取り手段４によって紙葉類Ｓの識別情報を光学的に読取る方法に限らず、ＭＩＣＲ文字と呼ばれる磁気インクに記録・印字されている文字を磁気ヘッド等により磁気的に読取る方法がある。更に別の方法として、紙葉類Ｓの形状、厚み、色等によって分類情報を取得してもよい。
【００５５】
また、本実施の形態において、ホッパー部２に載置された紙葉類Ｓは、移動壁６によって搬送路５の入り口の方に押さえられているが、より確実に紙葉類を入り口側に押し付けるように移動壁６に紙葉類押さえ部を設けても良い。
【００５６】
さらに、紙葉類Ｓを第１又は第２ソータ収納部３ａ，３ｂに搬送する搬送路８ａ，８ｂを設ける代りに、搬送路５に直接第１又は第２ソータ収納部３ａ，３ｂに紙葉類を搬送するフラッパーを設けると共に、移動壁６及び固定壁７の位置に応じてフラッパー１３を位置決めすることにより、紙葉類Ｓを第１又は第２ソータ収納部３ａ，３ｂに搬送させるようにしても良い。
【００５７】
ところで、これまでの説明においては、ソータ部３に画成された第１及び第２ソータ収納部３ａ，３ｂを固定壁７により仕切るようにした場合について述べてきたが、本発明はこれに限らず、第１及び第２ソータ収納部３ａ，３ｂを移動壁により仕切るようにしても良い。
【００５８】
次に、このように第１及び第２ソータ収納部３ａ，３ｂを移動壁により仕切るようにした本発明の第３の実施の形態について説明する。
【００５９】
図８は、本実施の形態に係る画像読取装置の一例であるスキャナ装置の構成を説明する上視図である。なお、同図において、図４と同一符号は、同一又は相当部分を示している。
【００６０】
同図において、７Ａは第１及び第２ソータ収納部３ａ，３ｂを仕切る仕切り部材であり、ホッパー部２に紙葉類Ｓを収納する場合には、ホッパー部２とソータ部３（の第１ソータ収納部３ａ）とを仕切る移動壁６と、この第１及び第２ソータ部３ａ，３ｂを仕切る仕切り部材７Ａとを、同図に示すように可能な限りホッパー部２の紙葉類収納量が増える方向に移動させるようにしている。
【００６１】
即ち、スキャナ装置１が動作する前の初期状態においては、ソータ部３（３ａ，３ｂ）は、紙葉類Ｓを収納するためのスペースを確保する必要が無いため、本実施の形態においては、同図に示すように移動壁６及び仕切り部材７Ａを、可能な限り第２ソータ収納部３ｂの固定壁９Ａ側に移動させようにしている。そして、このように移動壁６及び仕切り部材７Ａを可能な限り固定壁９Ａ側に移動させることにより、第１及び第２ソータ部３ａ，３ｂのスペースを狭くし、ホッパー部２の載置量（載置幅）を最大限にする事ができる。
【００６２】
また、この後、紙葉類Ｓが次々と処理されるにつれ、図９に示すように移動壁６及び仕切り部材７Ａをホッパー部２の固定壁９側に移動させるようにしている。これにより、第１及び第２ソータ収納部３ａ，３ｂの紙葉類収納スペースが確保され、搬送されてきた紙葉類Ｓを載置する事が出来るようになっている。
【００６３】
なお、本実施の形態において、図８及び図９に示すように搬送路５と第１又は第２ソータ収納部３ａ，３ｂとの間には切り換え手段であるフラッパー１２が設けられており、このフラッパー１２を既述した比較手段５２（図７参照）による比較結果及び移動壁６及び仕切り部材７Ａの移動に伴って移動させることにより、第１又は第２ソータ収納部３ａ，３ｂに紙葉類Ｓを選択的に案内して収納する事が出来るようになっている。
【００６４】
なお、このように構成した場合、情報（画像）が読み取られた後、紙葉類Ｓの順番が変わる事が無いように、フラッパー部１２を通過する紙葉類Ｓの端部が移動壁６及び仕切り部材７Ａの右側面に沿ってソータ部２に収納されるようにフラッパー部１２を位置決めすることが望ましい。
【００６５】
また、画像読取処理が高速になると、フラッパー部１２の駆動が処理速度に追従しなくなる場合がある。したがって、このような場合には、図１０に示すように、切り換え手段を、第１フラッパー部１５と、この第１フラッパー部１５と第１及び第２ソータ部３ａ，３ｂとの間に設けられ、仕切り部材７Ａの位置に応じて移動する第２及び第３フラッパー部１３，１４とにより構成してもよい。
【００６６】
そして、第２及び第３フラッパー部１３，１４を仕切り部材７Ａの移動に伴って移動させることにより、第１フラッパー部１５の駆動が処理速度に追従しない場合でも、紙葉類Ｓを選択的に第１又は第２ソータ収納部３ａ，３ｂに確実に収納することができる。
【００６７】
【発明の効果】
以上説明したように本発明によれば、並設された積載部と収納部とを仕切る移動可能な仕切り壁を、シートを載置部に載置する際には載置部のシート載置量が増える方向に移動させ、画像が読み取られたシートの枚数が増えるに連れて収納部のシート収納量が増える方向に移動させるようにすることにより、小型化が可能となる、かつ読取取り処理ができるシート枚数を増やすことができる。
【００６８】
さらに、収納部に複数画成されたシート収納区画を仕切る移動可能な仕切り部材を、シートを載置部に載置する際には仕切り壁と共に載置部のシート載置量が増える方向に移動させ、画像が読み取られたシートの枚数が増えるに連れて仕切り壁と共に収納部のシート収納量が増える方向に移動させるようにすることにより、小型化が可能となる、かつ読取取り処理ができるシート枚数を増やすことができる。
【図面の簡単な説明】
【図１】本発明の第１の実施の形態に係るスキャナ装置の斜視図。
【図２】上記スキャナ装置のホッパー部に紙葉類を載置したときの状態を示す側面断面図。
【図３】本発明の第２の実施の形態に係るスキャナ装置の斜視図。
【図４】上記スキャナ装置のホッパー部に紙葉類を載置したときの状態を示す平面図。
【図５】上記スキャナ装置の移動壁が移動した時の状態を示す平面図。
【図６】上記スキャナ装置とホストコンピュータの接続状態を表した概略図。
【図７】上記スキャナ装置の制御ブロック図。
【図８】本発明の第３の実施の形態に係るスキャナ装置の平面図。
【図９】上記スキャナ装置の移動壁及び仕切り部材が移動した時の状態を示す平面図。
【図１０】上記スキャナ装置の他の構成を示す平面図。
【図１１】従来の小型スキャナ装置の構成を示す斜視図。
【図１２】従来の手形に記録されているＭＩＣＲ文字のレイアウトを示す概略図。
【符号の説明】
１            スキャナ装置
２            ホッパー部
３            ソータ部
３ａ，３ｂ    第１及び第２ソータ収納部
４            画像読取部
５            搬送路
６            移動壁
７            固定壁
７Ａ          仕切り部材
１２          フラッパー
１３，１４    第２及び第３フラッパー部
１５          第１フラッパー部
５０          メモリ
５１          コントローラ
５２          比較部
５３          切り換え手段
１０１        スキャナ装置
１０２        ホッパー部
１０３        ソータ部
１０４        載置板
Ｓ            紙葉類
【図１】
2004214775.tif 000003
【図２】
2004214775.tif 000004
【図３】
2004214775.tif 000005
【図４】
2004214775.tif 000006
【図５】
2004214775.tif 000007
【図６】
2004214775.tif 000008
【図７】
2004214775.tif 000009
【図８】
2004214775.tif 000010
【図９】
2004214775.tif 000011
【図１０】
2004214775.tif 000012
【図１１】
2004214775.tif 000013
【図１２】
2004214775.tif 000014